(57)【要約】【課題】殺菌剤無添加のウエットティッシュやソフトティッシュなどを提供する。【解決手段】ソフトティッシュやウエットティッシュなどの繊維体に、１，２−ペンタンジオール、１，２−ヘキサンジオール、１，２−オクタンジオールのうち、少なくともいずれか１つが配合された保湿剤を含ませる。保湿剤に含まれる１，２−ペンタンジオール、１，２−ヘキサンジオール、１，２−オクタンジオールそれぞれの配合量は、0.２〜0.６重量％に調整する。繊維体は、セルロース繊維を１０重量％以上含む不織布であってもよい。キチン、キトサンや、カテキン、あるいは酸化銀を含ませることもできる。繊維の吸着作用の影響を受けることもなく、殺菌剤無添加でも優れた防菌防黴効果が発揮される。【選択図】なし【特許請求の範囲】
【請求項１】
１，２−ペンタンジオール、１，２−ヘキサンジオール、１，２−オクタンジオールのうち、少なくともいずれか１つが配合された保湿剤を含むことを特徴とする身体拭き取り用の繊維体。
【請求項２】
１，２−ペンタンジオール、１，２−ヘキサンジオール、１，２−オクタンジオールのうち、少なくともいずれか２つが配合された保湿剤を含むことを特徴とする身体拭き取り用の繊維体。
【請求項３】
保湿剤として、グリセリン、ポリエチレングリコール、ポリプロピレングリコール、ジプロピレングリコール、１，３−ブチレングリコールのうち、少なくともいずれか１つを含む請求項１又は２記載の身体拭き取り用の繊維体。
【請求項４】
保湿剤に含まれる１，２−ペンタンジオール、１，２−ヘキサンジオール、１，２−オクタンジオールそれぞれの配合量が、0.２〜0.６重量％である請求項１〜３のいずれかに記載の身体拭き取り用の繊維体。
【請求項５】
塩化ベンザルコニウム、塩化ベンゼントニウム、グルコン酸クロルヘキシジン、パラオキシ安息香酸メチル、パラオキシ安息香酸エチル、パラオキシ安息香酸プロピル、安息香酸、イソプロピルメチルフェノールのうち、少なくともいずれか１つを含む請求項１〜４のいずれかに記載の身体拭き取り用の繊維体。
【請求項６】
繊維体が不織布からなり、該不織布が、セルロース繊維を１０重量％以上含む請求項１〜５のいずれかに記載の身体拭き取り用の繊維体。
【請求項７】
繊維体が、ソフトティッシュである請求項１〜６のいずれかに記載の身体拭き取り用の繊維体。
【請求項８】
繊維体が、ウエットティッシュである請求項１〜６のいずれかに記載の身体拭き取り用の繊維体。
【請求項９】
キチン、キトサンを含む請求項１〜８のいずれかに記載の身体拭き取り用の繊維体。
【請求項１０】
カテキンを含む請求項１〜９のいずれかに記載の身体拭き取り用の繊維体。
【請求項１１】
酸化銀を含む請求項１〜１０のいずれかに記載の身体拭き取り用の繊維体。
【発明の詳細な説明】
【技術分野】
【０００１】
本発明は、ソフトティッシュやウエットティッシュなどの保湿性のある、肌身に直接触れる身体拭き取り用の繊維体に関する。
【背景技術】
【０００２】
本発明に関する先行技術文献として、特許文献１及び２がある。特許文献１には、１，２−ペンタンジオール、１，２−ヘキサンジオール、１，２−オクタンジオールを殺菌剤であるパラベンと組み合わせ、パラベンの効力を高めてその配合量を少なくした防腐殺菌剤が開示されている。特許文献２には、キレート剤を配合して防菌防黴剤が繊維に吸着されるのを抑制することが開示されている。
【０００３】
【特許文献１】特開平１１−３１０５０６号公報（段落番号０００６、００１２、表２、表４）
【特許文献２】特開平１０−１２７５１６号公報（段落番号０００２〜００１４）
【発明の開示】
【発明が解決しようとする課題】
【０００４】
近年、薄葉紙からなるドライティッシュだけでなく、これに保湿性を付与したソフトティッシュや、湿潤状態を保持させたウエットティッシュが、化粧落としや手指の汚れ落としなどに多用されている。これらは、例えばパルプやコットン、レーヨンなどのセルロース繊維を素材とした不織布に、グリセリン等を含む保湿液やシリコーン油などを噴霧や塗布、含浸して作られる。
【０００５】
ドライティッシュであれば、梅雨時などの湿気の多い環境下に長期間放置されたときでも細菌やカビはほとんど発生しない。しかし、湿潤状態に保持されているウエットティッシュはもちろんのこと、半乾き状態のソフトティッシュも、保湿材等の影響で湿気易いうえ、密封されないことが多いため、細菌やカビなどの微生物が発生し、使用できなくなることがある。
【０００６】
そこで、これら保湿性があるティッシュには、微生物の発生を防止するために、塩化ベンザルコニウムやパラオキシ安息香酸メチルなどの殺菌剤が添加されている。ところが、殺菌剤はティッシュを構成する繊維に吸着されて抗菌性が減少することが解っており、細菌やカビの発生を確実に抑制できるよう、最初から殺菌剤が過剰に添加されている（特許文献２参照）。しかし、肌身に直接触れるこれらのティッシュに殺菌剤が含まれていると、人によっては肌荒れや炎症を生じることもあり、その使用量は極力少なく、できるならば使用しないのが好ましい。
【０００７】
この点、先の特許文献２では、キレート剤の添加によって、繊維への殺菌剤の吸着を抑制し、結果として殺菌剤の使用量を減少させることに成功している。しかし、そこでは、吸着による殺菌剤の効力の減少を抑制するに止まるため、殺菌剤本来の使用量を減らすまでには至っていない。
【０００８】
先の特許文献１では、１，２−ペンタンジオール等との組み合わせによりパラベンの使用量を少なくできることが開示されてはいるが、クリームや化粧水などの液剤を対象としているに過ぎない。
【０００９】
かかる状況下で本発明者は、繊維体における微生物の発生を、殺菌剤を使用しないで防止できないか検討していたところ、保湿剤である１，２−ペンタンジオール等の適用によって従来にない優れた防菌防黴効果が認められることを見出し、本発明を完成するに至ったものである。
【００１０】
すなわち、本発明の目的は、微生物の発生を抑制でき、肌荒れ等を招くおそれのない、身体拭き取り用の繊維体を提供することにある。本発明の目的は、殺菌剤無添加、あるいは殺菌剤微量添加の身体拭き取り用の繊維体を提供することにある。
【課題を解決するための手段】
【００１１】
本発明の身体拭き取り用の繊維体は、１，２−ペンタンジオール、１，２−ヘキサンジオール、１，２−オクタンジオールのうち、少なくともいずれか１つが配合された保湿剤を含むことを特徴とする。少なくともいずれか２つが配合された保湿剤を含むようにしてあってもよい。
【００１２】
具体的には、その他の保湿剤として、グリセリン、ポリエチレングリコール、ポリプロピレングリコール、ジプロピレングリコール、１，３−ブチレングリコールのうち、少なくともいずれか１つを含む。保湿剤に含まれる１，２−ペンタンジオール、１，２−ヘキサンジオール、１，２−オクタンジオールそれぞれの配合量は、0.２〜0.６重量％に調整するとよい。
【００１３】
塩化ベンザルコニウム、塩化ベンゼントニウム、グルコン酸クロルヘキシジン、パラオキシ安息香酸メチル、パラオキシ安息香酸エチル、パラオキシ安息香酸プロピル、安息香酸、イソプロピルメチルフェノールのうち、少なくともいずれか１つを含むものであってもよい。
【００１４】
繊維体は、セルロース繊維を１０重量％以上含む不織布であってもよい。すなわち、繊維体は、天然のセルロース繊維だけで構成されたタイプ以外にも、例えば、天然のセルロース繊維にポリエチレンやポリプロピレン等が配合されたタイプも含まれる。その具体例としては、ソフトティッシュやウエットティッシュを挙げることができる。
【００１５】
キチン、キトサンや、カテキン、あるいは酸化銀を含ませることもできる。
【発明の効果】
【００１６】
１，２−ペンタンジオール、１，２−ヘキサンジオール、１，２−オクタンジオールのうち、少なくともいずれか１つが配合された保湿剤を繊維体に含ませることで、殺菌剤を使用しなくとも優れた防菌防黴効果を発揮させることができる。これら化合物は保湿剤であり、不織布等に含ませることで柔軟な、肌触りのよい風合いを付与することができる。また、これらが抗菌性を有することは知られてはいるが、繊維に適用した場合、従来にまして際立って優れた効果が発揮された。その機構は明らかでないが、保湿作用によってこれら成分が繊維表面をくまなく覆う結果、ほとんど吸着されずにその機能が効率よく発揮できているものと思われる。
【００１７】
さらに殺菌剤を含む場合には、微量であっても、１，２−ペンタンジオール等によって繊維の吸着が抑制されるため、両者の抗菌作用が相まってより確実な防菌防黴効果を発揮する。
【００１８】
とくに、繊維体がセルロース繊維を１０重量％以上含む不織布である場合に有効である。セルロース繊維が多いほど肌触りはよくなるが、天然素材であるセルロース繊維は、個々の繊維の内部に至るまで微生物に汚染されている場合が多く、合成繊維などに比べてそれだけ腐敗を生じ易い。したがって、抗菌作用のある保湿剤が繊維を包み込む結果、微生物の増殖を効率よく防止できる。
【００１９】
殺菌剤を無添加、あるいは殺菌剤を微量添加しただけのソフトティッシュやウエットティッシュであれば、直接肌に触れる機会が多いため、肌荒れ防止等に優れた効果を発揮する。
【００２０】
キチン、キトサンや、カテキン、および酸化銀は、いずれも抗菌作用を備えており、これらを複合的に含ませることで、多様な抗菌性を付与させることができ、よりいっそう防菌防黴効果を発揮させることができる。
【発明を実施するための最良の形態】
【００２１】
次の表１に、本発明をウエットティッシュに適用し、各種配合で防菌防黴効果についてチャレンジテストを行った結果を示す。
【００２２】
【表１】
2007307287.tif 000002
【００２３】
（試験条件）  テストには、ウエットティッシュに用いるコットン繊維の不織布（４０ｇ／ｍ2 ）を使用した。表１の左欄に示される１，２−ペンタンジオール、１，２−ヘキサンジオール、１，２−オクタンジオール、グリセリン、ジプロピレングリコールの各保湿剤、及びパラオキシ安息香酸メチル、塩化ベンザルコニウムの各殺菌剤を、実施例１〜７、及び比較例１〜５に示される各配合割合に調整し、これを湿潤溶液とした。１，２−ペンタンジオール、１，２−ヘキサンジオール、１，２−オクタンジオールは、0.２〜0.６重量％の範囲で２種以上組み合わせた。保湿剤のグリセリン及びジプロピレングリコールは、全ての条件において同じ配合とした。なお、ここでの％は重量％を示しており、残部は精製水である。
【００２４】
（試験液）  各実施例及び比較例の湿潤溶液ごとに、先の不織布に対し、５００重量％の比率で湿潤溶液を含浸させた後、袋に入れて封止し、室温下で２週間静置した。その後、不織布に含浸させた湿潤溶液を絞り出して、これを試験液とした。
【００２５】
（試験菌）  細菌には、大腸菌（Ｅａｓｃｈｅｒｉｃｈｉａ  ｃｏｌｉ  ＡＴＣＣ８７３９）、緑膿菌（Ｐｓｅｕｄｏｍｏｎａｓ  ａｅｒｕｇｉｎｏｓａ  ＡＴＣＣ９０２７）、黄色ブドウ球菌（Ｓｔａｐｈｙｌｏｃｏｃｃｕｓ  ａｕｒｅｕｓ  ＡＴＣＣ６５３８）の標準混合菌を使用し、これを滅菌水に混濁させて試験菌液とした。真菌には、黒コウジカビ（Ａｓｐｅｒｇｉｌｌｕｓ  ｎｉｇｅｒ  ＡＴＣＣ１６４０４）、カンジタ（Ｃａｎｄｉｄａ  ａｌｂｉｃａｎｓ  ＡＴＣＣ１０２３１）、アオカビ（Ｐｅｎｉｃｉｌｌｉｕｍ  Ｃｉｔｒｉｎｕｍ  ＡＴＣＣ９８４９）、オーレバシディウム（Ａｕｒｅｏｂａｓｉｄｉｕｍ  ｐｕｌｌｕｌａｎｓ  ＩＦＯ６３５３）の混合菌を使用し、これを滅菌水に混濁させて試験菌液とした。
【００２６】
（試験操作）  各試験液２０mlをバイアル瓶群に分注して、先の細菌及び真菌の各試験菌液をそれぞれ0.２mlづつ接種した。細菌を接種したサンプルは、３０℃で、真菌を接種したサンプルは２５℃でそれぞれ保存した。実施例１〜７、及び比較例１〜５でそれぞれ３サンプルづつ作製しておき、７日後、１４日後、２１日後に各サンプルの生菌数を測定した。生菌数の測定は、混釈法（細菌：ＳＣＤＬＰ寒天培地、真菌：ＧＰＬＰ寒天培地）により、コロニー数（ｃｆｕ）を計数した。
【００２７】
（結果）  初菌数は、細菌：約１０6 ｃｆｕ、真菌：約１０5 ｃｆｕであった。１，２−ペンタンジオール、１，２−ヘキサンジオール、１，２−オクタンジオールを組み合わせ配合した実施例１〜７では、全てにおいて培養７日後で細菌が検出されなかったのに対し、これらが配合されていない比較例１〜５では、殺菌剤が配合されているにもかかわらず、一部で殺菌効果の遅延が認められた。繊維の吸着による影響と思われる。同様に、真菌においても、実施例では、全てにおいて培養２１日後で検出が認められなかったのに対し、比較例では、殺菌剤濃度が最も高い比較例３を除き、１０2 ｃｆｕの生菌数の残存が認められた。この結果からも明らかなように、ウエットティッシュに１，２−ペンタンジオール、１，２−ヘキサンジオール、１，２−オクタンジオールのいずれかを保湿剤に含ませることで、より詳しくはこれらを２種以上組み合わせた保湿剤を含ませることで、優れた防菌防黴効果が認められた。
【００２８】
次の表２に、本発明をソフトティッシュに適用し、各種配合で防菌防黴効果についてチャレンジテストを行った結果を示す。
【００２９】
【表２】
2007307287.tif 000003
【００３０】
（試験条件）  テストには、ソフトティッシュ用の、セルロース繊維が１０重量％以上混合されたティッシュペーパー（１５ｇ／ｍ2 ）を使用した。表２の左欄に示される１，２−ペンタンジオール、１，２−ヘキサンジオール、１，２−オクタンジオール、グリセリン、ジプロピレングリコールの各保湿剤、及び塩化ベンザルコニウム、グルコン酸クロルヘキシジンの各殺菌剤を、実施例１〜６、及び比較例１〜４に示される各配合割合に調整し、これを湿潤溶液とした。１，２−ペンタンジオール、１，２−ヘキサンジオール、１，２−オクタンジオールは、いずれも0.５重量％とし、２種以上を組み合わせた。なお、各条件でのグリセリン及びジプロピレングリコールの配合が同じであり、残部が精製水で、％が重量％を示す点は、先のウエットティッシュでの試験条件と同じである。
【００３１】
試験液、試験菌、及び試験操作については、ウエットティッシュの場合と同じであるため、説明は省略する。
【００３２】
（結果）  初菌数は、細菌：約１０6 ｃｆｕ、真菌：約１０5 ｃｆｕであった。細菌では、１，２−ペンタンジオール、１，２−ヘキサンジオール、１，２−オクタンジオールを配合した実施例１〜６、及び殺菌剤のみの比較例１〜４のいずれにおいても培養７日後で検出されなかった。繊維量が少ない分、吸着の影響が小さかったものと思われる。一方、真菌では、実施例の全てにおいて培養２１日後で検出が認められなかったのに対し、比較例では、培養２１日後でも１０2 ｃｆｕの生菌数の残存が認められた。この結果からも明らかなように、ソフトティッシュに１，２−ペンタンジオール、１，２−ヘキサンジオール、１，２−オクタンジオールのいずれかを保湿剤に含ませることで、より詳しくは、これらを２種以上組み合わせた保湿剤を含ませることで、優れた防菌防黴効果が認められた。
【００３３】
さらに、いずれも抗菌性を有する、天然の多糖類であるキチン、キトサンや、緑茶などの抽出成分であるカテキン、または酸化銀を、それぞれ単独で、あるいは組み合わせて含ませることで、作用機構が異なった多様な抗菌性を付与させることができ、防菌防黴効果をよりいっそう確実にすることができる。